(57)【要約】      （修正有）【課題】テープを引き裂き剥す機能を備え、尚且つ梱包用ＰＰバンドやＰＰ紐をも引き裂くことが出来、さらに物差の機能を持たせたダンボール箱の開梱用ペーパーナイフ形テープ万能引き剥し具を提供する。【解決手段】ペーパーナイフの握り手部分である柄の隅Ｂに、突起部Ｃを設け、その先に、ビニールテープが、少しの力を加えた丈で突き破ることを可能とする任意の鋭角を有し、やゝ丸み帯びた先端を備える。また、突起部の付け根に相当する部分に、ガイド壁Ｄを備え、先端が必要以上にダンボール箱の中に突き刺さり中身を傷付けることの無い様にする。屡、梱包に使われるＰＰバンド・ＰＰ紐・且つ歪んで貼られた梱包用テープ等を引き裂く為に、ペーパーナイフ本体の刃にあたる部分に、小さな鋸の刃状の凹凸Ｆの機能を持たせる。さらに、ペーパーナイフ表面と裏面に物差としての目盛りＧを備え持つことを特徴とする。【選択図】図１
0003190170.tif 000002
【実用新案登録請求の範囲】
【請求項１】
既存のペーパーナイフの握り手部分である柄の隅に、突起部を設け、その先に、一般的に使用されている厚さ０．２４ｍｍの布テープ・０．０５２ｍｍのビニールテープが、少し力を加えた丈で突き破ることを可能とする安全を主とした程度の任意の鋭角、適度な角度と、やゝ丸み帯びた先端を備え、引き裂きの切っ掛けを起すことが出来る様にした。
【請求項２】
突起部の付け根に相当する部分に、ガイド壁を備え突き刺した適度な角度と、やゝ丸みを帯びた先端が必要以上にダンボール箱の中に突き刺さり中身を傷付けることの無い様に、亦、テープの引き裂き運動を直線的、且つ滑らかに行う為にガイド壁を設ける。
【請求項３】
突き刺されたテープは、ガイド壁に妨げられ、テープを引き裂く湾曲した窪みに自動的に誘導されて速やかにテープの引き裂き運動が行える様にテープを引き裂く湾曲した窪みを設ける。
【請求項４】
屡、梱包に使われるＰＰバンド・ＰＰ紐・且つ歪んで貼られた梱包用テープ等を引き裂く為に、ペーパーナイフ本体の刃にあたる部分の右半分に、小さな鋸の刃状の凹凸を設ける。但し右半分と限定されず左半分、若しくは左右全体に機能を設けることが出来る。
【請求項５】
梱包されたダンボール箱の宅配便扱い料金の割り出し、若しくは、配達された着払い料金の確認、メール便扱いの料金・定形外郵便物の料金等を算出する為にも役立ち便利な為、ペーパーナイフ表面と裏面に物差を設ける。
【請求項６】
上記、請求項１から５に関る各項目に揚げる機能の厚み・長さ・或いは角度等に纏わる寸法の値は任意として、本考案は一体成型を可能とするものである。
【考案の詳細な説明】
【技術分野】
【０００１】本考案は、テープ（ＰＰバンド・ＰＰ紐を含む）で梱包されたダンボール箱を爪を傷めずに開梱するもので、既存のペーパーナイフの握り手である柄の部分に鋭利な刃物を使わず安全にテープを引き裂き剥す機能を持たせ、更に変形して膨らみ歪んだダンボール箱の側壁立ち上り部分に非直線的な不規則に貼られたテープを、尚且つダンボール箱の左右２つの蓋を跨いで貼られたテープの引き裂きを一連の動線の中で滞りなく行える様にペーパーナイフの刃に当る部分、右半分に小さな鋸の刃状に凹凸を設ける。と共にペーパーナイフの表面と裏面にｍｍとｃｍの物差を設け開梱するダンボール箱の体積を測り着払い料金、メール便扱い料金等の確認を計る。
【背景技術】
【０００２】従来は、テープを引き裂き剥す機能を備え、尚且つ梱包用ＰＰバンドやＰＰ紐をも引き裂くことの出来るペーパーナイフは無かった。
【考案の概要】
【考案が解決しようとする課題】
【０００３】がっしりとテープで梱包されて配達されて来たダンボール箱の開梱は、男性でも厄介なもので爪を傷めること屡である。ましてや近頃の女性は爪を伸ばしてマニキュア等で着色・絵柄で飾り、お洒落を楽しみ爪を傷めることには、男性以上に神経を気遣っている。本考案は此の課題を解消する為になされたものである。
【課題を解決する為の手段】
【０００４】任意の材質を用いて、従来のペーパーナイフの握り手部分である柄（Ｂ）に、突起部（Ｃ）を設け、その先に、適度な角度とやゝ丸みを帯びた先端（２）を備え、それをテープに突き刺し引き裂きの発端を作り、テープを引き裂く湾曲した窪み（１）に、テープを誘導して安定的に引き裂き運動が行える様に、ガイド壁（Ｄ）を設ける。尚且つ変形して膨らみ歪んだダンボール箱（１１）の左右２つの外蓋（８）を跨いで貼られたテープ若しくは、変形して膨らみ歪んだダンボール箱（１１）の側壁立ち上り部分（１３）に、非直線的な不規則に貼られたテープの引き裂きを容易に成す為に、ペーパーナイフの刃に相当する部分の右半分に、小さな鋸の刃状の凹凸（Ｆ）を設ける。左半分はペーパーナイフとしての機能を、その侭に残して、そのペーパーナイフ先端（Ｅ）から柄（Ｂ）まで、裏面（Ａ´）には先端（Ｅ）からガイド壁（Ｄ）にかけてｍｍとｃｍの目盛り（Ｇ）を印し付け物差としたもので、総ての機能を備え一体成型を可能にする。
【考案の効果】
【０００５】爪を傷めることもなく、ごしごし……とテープを掻き毟る必要が無くなり、刃物を使いテープを切るのと異なり、半ば強制的にテープを引き裂く為、切り口が粗く、乱れて毳立ち、ささくれており、容易にテープを摘み剥すことが出来るので極めて奇麗な状態で復元することが可能となりダンボール箱（Ｈ）の再利用がより可能となる。尚且つ宅配便が発達した今日、各家庭に無くてはならない必需品であり、家族揃って安全に使用出来るので、玄関先に常備しておけば郵便物の開封、宅配便等の着払い料金の確認、且つメール便・定形外郵便物を差し出す場合にも物差が大いに役立つ。
【考案を実施する為の形態】
【０００６】図面を参照しつゝ詳細に説明すると、図１は本考案の実施例をあらわすもっとも一般的な形態のペーパーナイフの斜視図を示すが、ペーパーナイフ本体（Ａ）には、握り手である柄（Ｂ）の先端には突起部（Ｃ）の先に図２で示す適度な角度と、やゝ丸み帯びた先端（２）を備え、テープを引き裂く湾曲した窪み（１）と、その窪みに確実にテープを確保する為の図１で示すガイド壁（Ｄ）を設けたものである。尚、付け加えれば一般的に使用されている粘着テープの布製の厚さは、０．２４ｍｍ・ビニールテープ０．０５２ｍｍの様に非常に薄い為、適度な角度と、やゝ丸みを帯びた先端（２）と、テープを引き裂く湾曲した窪み（１）の厚さは、刃物にならない程度の安全を主体とした任意とする。
【０００７】本考案は、ペーパーナイフの特徴を活かして、変形して膨らみ歪んだダンボール箱（１１）のテープを引き裂く場合、往々にして図６に示す変形して膨らみ歪んだダンボール箱（１１）や、屡、見受けられる左右の外蓋（８）の交互のずれと共にテープも同様に、ずれている為、本考案は無論、従来から市販されている刃物等を使用したものでも刃先が側壁（１２）と、その側壁立ち上り部分（１３）に阻まれ苦戦を強いられる。それ等を解消する為にペーパーナイフ本体（Ａ）の先端（Ｅ）から刃に相当する部分の右半分に小さな鋸の刃状の凹凸を設け図４・図６のペーパーナイフ先端（Ｅ）を隙間（１０）に突き刺し込む位置（６）に刺し込みテープを引き裂くので開梱が容易になり非常に便利な為、ペーパーナイフに特徴的な機能を持たせたのであり、ペーパーナイフに拘泥することなく、他のツール等に本考案の機能を持たせることも出来るようにする。
【０００８】従来の刃物を用いず安全面を考慮してテープの切断を目的として工夫されたものでは、テープの切断に際して常に図４に示す適度な角度と、やゝ丸み帯びた先端（２）を突き刺す位置（５）の様に、テープの切断を目的とする表面に対して垂直でなければテープ自体に弾力性を有する為、先ず突き刺すことは出来ない。本考案は、それを解決したものである。
【０００９】故に本考案は、テープを引き裂くその切っ掛けを作る為に、ペーパーナイフ本体（Ａ）のペーパーナイフ先端（Ｅ）からペーパーナイフの刃に相当する部分の右半分に、小さな鋸の刃状の凹凸（Ｆ）を設け活用して、如何なる状況下に於いても引き裂きの発端を導き求める為に、テープ自体の備え持つ弾力性を逆用して、強制的にペーパーナイフ先端（Ｅ）を図４に示す、適度な角度と、やゝ丸みを帯びた先端（２）を突き刺す位置（５）或いは、ペーパーナイフ先端（Ｅ）を突き刺し込む位置（６）の隙間（１０）のテープの表面に対して垂直、若しくは直角に自在に操ることが出来る様にした。
【００１０】ペーパーナイフ本体（Ａ）の表面と裏面（Ａ´）に刻み付けられたｍｍとｃｍの目盛（Ｇ）の物差は、出荷準備の段階でダンボール箱（Ｈ）の寸法、且つ料金、配達された宅配便の着払い料金の確認、且つメール便扱いの料金、若しくは定形外郵便物の郵便切手料金を割り出すことも出来る様にした。尚、郵便物の開封にも非常に便利で、家庭の必需品として現代では必要不可欠な物として、置き場所を殊に選ばず玄関先の下駄箱等の上に常備として家族揃って何時でも使える様にした。業務用としても便利である。
【図面の簡単な説明】
【００１１】
【図１】ペーパーナイフ本体と、その刃に相当する部分の右半分に、小さな鋸の刃状の凹凸を持たせ左半分の刃に相当する部分ｍｍとｃｍの目盛りを印付け、其の裏面にも等しくｍｍとｃｍの目盛りを印付け、且つ柄部分に、テープを引き裂き剥す機能を持たせた斜視図である。
【図２】引き裂き剥す機能部を拡大した斜視図である。
【図３】ペーパーナイフ柄部分の左・右  側面図である。
【図４】本考案の使用位置を示す図である。
【図５】本考案の使用状況を示すダンボール箱の側面図である。
【図６】変形して膨らみ歪んだダンボール箱の平面図である。
【符号の説明】
【００１０】Ａ  ペーパーナイフ本体
Ａ´ペーパーナイフ本体の裏面
Ｂ  柄
Ｃ  突起部
Ｄ  ガイド壁
Ｅ  ペーパーナイフ先端
Ｆ  小さな鋸の刃状の凹凸
Ｇ  ｍｍとｃｍの目盛
Ｈ  ダンボール箱
１  テープを引き裂く湾曲した窪み
２  適度な角度と、やゝ丸みを帯びた先端
３  柄（Ｂ）の左側面図
４  柄（Ｂ）の右側面図
５  先端（２）を突き刺す位置
６  ペーパーナイフ先端（Ｅ）を突き刺し込む位置
７  テープ
８  外蓋
９  内蓋
１０  隙間
１１  変形して膨らみ歪んだダンボール箱
１２  側壁
１３  側壁立ち上り部分
【図１】
0003190170.tif 000003
【図２】
0003190170.tif 000004
【図３】
0003190170.tif 000005
【図４】
0003190170.tif 000006
【図５】
0003190170.tif 000007
【図６】
0003190170.tif 000008
【手続補正書】
【提出日】平成25年8月28日(2013.8.28)
【手続補正１】
【補正対象書類名】実用新案登録請求の範囲
【補正対象項目名】全文
【補正方法】変更
【補正の内容】
【実用新案登録請求の範囲】
【請求項１】
ペーパーナイフの握り手部分である柄の隅に、突起部を設け、その先に、一般的に使用されている厚さ０．２４ｍｍの布テープ・０．０５２ｍｍのビニールテープが、少し力を加えた丈で突き破ることを可能とする安全を主とした程度の任意の鋭角、適度な角度と、やゝ丸み帯びた先端を備え、引き裂きの切っ掛けを起させることを特徴とするダンボール箱の開梱用ペーパーナイフ形テープ万能専用引き裂き剥し具。
【請求項２】
突起部の付け根に相当する部分に、ガイド壁を備え突き刺した適度な角度と、やゝ丸みを帯びた先端が必要以上にダンボール箱の中に突き刺さり中身を傷付けることの無い様に、亦、テープの引き裂き運動を直線的、且つ滑らかに行う為にガイド壁を備え持つことを特徴とする請求項１記載のダンボール箱の開梱用ペーパーナイフ形テープ万能専用引き裂き剥し具。
【請求項３】
突き刺されたテープは、ガイド壁に妨げられ、テープを引き裂く湾曲した窪みに自動的に誘導されて速やかにテープの引き裂き運動が行える様にテープを引き裂く湾曲した窪みを特徴とする請求項１記載のダンボール箱の開梱用ペーパーナイフ形テープ万能専用引き裂き剥し具。
【請求項４】
屡、梱包に使われるＰＰバンド・ＰＰ紐・且つ歪んで貼られた梱包用テープ等を引き裂く為に、ペーパーナイフ本体の刃にあたる部分の右半分に、但し右半分と限定されず左半分、若しくは左右全体に小さな鋸の刃状の凹凸の機能を持たせることを特徴とする請求項１記載のダンボール箱の開梱用ペーパーナイフ形テープ万能専用引き裂き剥し具。
【請求項５】
梱包されたダンボール箱の宅配便扱い料金の割り出し、若しくは、配達された着払い料金の確認、メール便扱いの料金・定形外郵便物の料金等を算出する為にも役立ち便利な為、ペーパーナイフ表面と裏面に物差を備え持つことを特徴とする請求項１記載のダンボール箱の開梱用ペーパーナイフ形テープ万能専用引き裂き剥し具。
【請求項６】
上記、請求項１から５に関る各項目に揚げる機能の厚み・長さ・或いは角度等に纏わる寸法の値は任意として、本考案は一体成型を特徴とする請求項１記載のダンボール箱の開梱用ペーパーナイフ形テープ万能専用引き裂き剥し具。
【手続補正書】
【提出日】平成25年11月16日(2013.11.16)
【手続補正１】
【補正対象書類名】実用新案登録請求の範囲
【補正対象項目名】全文
【補正方法】変更
【補正の内容】
【実用新案登録請求の範囲】
【請求項１】
ペーパーナイフの握り手部分である柄の隅に、突起部を設け、その先に、一般的に使用されている厚さ０．２４ｍｍの布テープ・０．０５２ｍｍのビニールテープが、少し力を加えた丈で突き破ることを可能とする安全を主とした程度の任意の鋭角、適度な角度と、やゝ丸み帯びた先端を備え、引き裂きの切っ掛けを起させることを特徴とするダンボール箱の開梱用ペーパーナイフ形テープ万能専用引き裂き剥し具。
【請求項２】
突起部の付け根に相当する部分に、ガイド壁を備え突き刺した適度な角度と、やゝ丸みを帯びた先端が必要以上にダンボール箱の中に突き刺さり中身を傷付けることの無い様に、亦、テープの引き裂き運動を直線的、且つ滑らかに行う為にガイド壁を備え持つことを特徴とする請求項１記載のダンボール箱の開梱用ペーパーナイフ形テープ万能専用引き裂き剥し具。
【請求項３】
突き刺されたテープは、ガイド壁に妨げられ、テープを引き裂く湾曲した窪みに自動的に誘導されて速やかにテープの引き裂き運動が行える様にテープを引き裂く湾曲した窪みを特徴とする請求項１記載のダンボール箱の開梱用ペーパーナイフ形テープ万能専用引き裂き剥し具。
【請求項４】
屡、梱包に使われるＰＰバンド・ＰＰ紐・且つ歪んで貼られた梱包用テープ等を引き裂く為に、ペーパーナイフ本体の刃にあたる部分の右半分に、但し右半分と限定されず左半分、若しくは左右全体に小さな鋸の刃状の凹凸の機能を持たせることを特徴とする請求項１記載のダンボール箱の開梱用ペーパーナイフ形テープ万能専用引き裂き剥し具。
【請求項５】
梱包されたダンボール箱の宅配便扱い料金の割り出し、若しくは、配達された着払い料金の確認、メール便扱いの料金・定形外郵便物の料金等を算出する為にも役立ち便利な為、ペーパーナイフ表面と裏面に物差を備え持つことを特徴とする請求項１記載のダンボール箱の開梱用ペーパーナイフ形テープ万能専用引き裂き剥し具。
【請求項６】
上記、請求項１から５のいずれか一項に記載の機能の厚み・長さ・或いは角度等に纏わる寸法の値は任意として、本考案は一体成型を特徴とする請求項１から５に記載のダンボール箱の開梱用ペーパーナイフ形テープ万能専用引き裂き剥し具。
【手続補正書】
【提出日】平成26年2月4日(2014.2.4)
【手続補正１】
【補正対象書類名】実用新案登録請求の範囲
【補正対象項目名】請求項６
【補正方法】変更
【補正の内容】
【請求項６】
上記、の厚み・長さ・或いは角度等に纏わる寸法の値は任意として、突起部・及び、ガイド壁・湾曲した窪み・小さな鋸の刃状の凹凸・そして物差・等を一体成型を特徴とする請求項１から５に記載のダンボール箱の開梱用ペーパーナイフ形テープ万能専用引き裂き剥し具。